(57)【特許請求の範囲】
【請求項１】
複数の伝送装置を備えて構成された光通信ネットワークであって、
前記伝送装置は、
入力された電気信号を出力側の複数のポートの中の１つへ出力する電気スイッチと、
入力された光信号を出力側の複数のポートの中の１つへ出力する光スイッチと、
前記電気スイッチから入力された電気信号を光信号に変換するとともに前記光スイッチから入力された光信号を電気信号に変換する複数の信号変換手段と、
を備え、
前記複数の信号変換手段の中の一部の信号変換手段を現用としてデータ伝送に使用し、残りを予備とし、
現用の信号変換手段が故障した場合、前記電気スイッチの設定を変更し、故障した信号変換手段が接続されているポートに出力している電気信号を予備の信号変換手段が接続されているポートに出力するように切り替えるとともに、前記光スイッチの設定を変更し、当該予備の信号変換手段と、前記故障によりデータ送受信が不能となった対向伝送装置との間に波長パスを設定し、
予備の信号変換手段は、前記現用の信号変換手段とは異なる波長の光信号の送受信動作を前記現用の信号変換手段が故障していない状態においても実行し、
前記光スイッチは、前記予備の信号変換手段から入力された光信号については前記現用の信号変換手段が故障している状態のときに出力側の複数のポートの１つへ出力する、
ことを特徴とする光通信ネットワーク。
【請求項２】
現用の信号変換手段が故障した場合、故障内容を前記対向伝送装置へ通知し、当該対向伝送装置が備えている電気スイッチおよび光スイッチの設定を変更させることを特徴とする請求項１に記載の光通信ネットワーク。
【請求項３】
前記電気スイッチは、転送先を示すラベルが付加されたパケットをラベルの値に応じて出力ポートに振り分けるスイッチであり、
故障した信号変換手段が接続されているポートを出力先として示すラベルが付加されたパケットを受信した場合、受信したパケットに付加されているラベルを予備の信号変換手段が接続されているポートを出力先として示すラベルに書き換えてから前記電気スイッチへ出力するラベル変更手段、
をさらに備えることを特徴とする請求項１または２に記載の光通信ネットワーク。
【請求項４】
前記ラベル変更手段は、故障していない現用の信号変換手段に割り当てられている波長パスに空き帯域が存在する場合、故障した信号変換手段が接続されているポートを出力先として示すラベルを、故障していない現用の信号変換手段が接続されているポートを出力先として示すラベルに書き換えることを特徴とする請求項３に記載の光通信ネットワーク。
【請求項５】
請求項１〜４のいずれか一つに記載の光通信ネットワークを構成する伝送装置。
【発明の詳細な説明】
【技術分野】
【０００１】
本発明は、波長レベルの伝送路（波長パス）と、波長パスに多重化された電気パス(例：MPLSのパス)とを収容し、波長パスの交換機能および電気パスの交換機能を備える通信装置により構成される光通信ネットワークに関する。
【背景技術】
【０００２】
例えば、ＩＥＴＦ（Internet  Engineering  Task  Force）のＲＦＣ６１６３には、波長パスを扱うネットワークに関する技術、すなわち、波長のスイッチネットワークの制御に関する技術が記載されている。また、ＩＥＴＦのＲＦＣ５９２１には、電気パスを扱うネットワークに関する技術、具体的には、ＭＰＬＳによるパケットスイッチネットワークの構成や機能が記載されている。
【０００３】
光通信ネットワークなどの伝送システムでは、障害発生時にユーザトラヒックを保護するために、パスを冗長化して障害復旧する。下位レイヤ（波長パス）の障害復旧では、上位レイヤ（電気パス）の障害が復旧できないことから、サービス（クライアントに提供する回線＝電気パス）単位で切替の有無や切替方式の選別を可能とするため、上位レイヤ（電気パス）でパスを冗長化し、障害復旧を実施する方式がある。また、２重の高信頼化を目的として、上位レイヤと下位レイヤのパスをともに冗長化する方式がある。
【０００４】
従来の障害復旧方法に関する発明が下記特許文献１で開示されている。特許文献１に記載された発明では、光スイッチとＴＤＭスイッチ（電気スイッチ）により構成するネットワークにおいて、管理システムが、光伝送路の障害時は光スイッチを切り替え、ＴＤＭ回線障害時はＴＤＭスイッチを切り替えることで障害回復するようにしている。この発明を適用したネットワークにおける障害検出・回復手順は以下のようになる。
【０００５】
ネットワークにおいては予め現用電気パス毎に予備の電気パスを設定して、現用パスの障害を監視する。障害を検出すると、障害原因を判断し、伝送路障害でなければ、電気スイッチの設定内容の変更により、予備の電気パスに転送を切り替える。このとき、対向する電気パスの終端装置についても同様に、電気スイッチの設定変更により予備の電気パスに転送を切り替える。また伝送路障害の場合には、予め選択しておいた予備の波長パスの経路上の光スイッチの設定変更により、予備の波長パスに転送を切り替える。
【先行技術文献】
【特許文献】
【０００６】
【特許文献１】特許第２９２８０４６号公報
【発明の概要】
【発明が解決しようとする課題】
【０００７】
しかしながら、上位レイヤである電気パスの障害を、上位レイヤ（電気パス）で冗長化する場合は、現用の帯域と同量の予備帯域を常に確保する必要が生じるため、予備設備の分だけ余分に、設備コストおよび消費電力を消費するという問題があった。
【０００８】
本発明は、上記に鑑みてなされたものであって、少ない予備設備での障害復旧を可能とし、システム全体の低コスト化を実現する光通信ネットワークおよび伝送装置を得ることを目的とする。
【課題を解決するための手段】
【０００９】
上述した課題を解決し、目的を達成するために、本発明は、複数の伝送装置を備えて構成された光通信ネットワークであって、前記伝送装置は、入力された電気信号を出力側の複数のポートの中の１つへ出力する電気スイッチと、入力された光信号を出力側の複数のポートの中の１つへ出力する光スイッチと、前記電気スイッチから入力された電気信号を光信号に変換するとともに前記光スイッチから入力された光信号を電気信号に変換する複数の信号変換手段と、を備え、前記複数の信号変換手段の中の一部の信号変換手段を現用としてデータ伝送に使用し、残りを予備とし、現用の信号変換手段が故障した場合、前記電気スイッチの設定を変更し、故障した信号変換手段が接続されているポートに出力している電気信号を予備の信号変換手段が接続されているポートに出力するように切り替えるとともに、前記光スイッチの設定を変更し、当該予備の信号変換手段と、前記故障によりデータ送受信が不能となった対向伝送装置との間に波長パスを設定することを特徴とする。
【発明の効果】
【００１０】
本発明によれば、少ない予備設備での障害復旧が可能で、かつシステム全体の低コスト化を実現可能な光通信ネットワークを実現できるという効果を奏する。
【図面の簡単な説明】
【００１１】
【図１】図１は、伝送装置の構成例を示す図である。
【図２】図２は、光通信ネットワークの構成例を示す図である。
【図３】図３は、光通信ネットワークにおいて障害が発生した場合の復旧手順の一例を示すフローチャートである。
【図４】図４は、光通信ネットワークの構成と、波長パスおよび電気パスの設定例を示す図である。
【図５−１】図５−１は、障害が発生する前の光通信ネットワークのパス設定状態と各伝送装置の設定状態を示す図である。
【図５−２】図５−２は、光スイッチの設定テーブルの一例を示す図である。
【図５−３】図５−３は、電気スイッチの設定テーブルの一例を示す図である。
【図５−４】図５−４は、クライアントＩＦ部の設定テーブルの一例を示す図である。
【図５−５】図５−５は、クライアントＩＦ部の設定テーブルの一例を示す図である。
【図６】図６は、監視制御部が監視を行うポイントを示す図である。
【図７−１】図７−１は、インタフェース部が故障と判断した後の電気パスおよび波長パスの転送状態を示す図である。
【図７−２】図７−２は、光スイッチの設定状態を示す図である。
【図７−３】図７−３は、電気スイッチの設定状態を示す図である。
【発明を実施するための形態】
【００１２】
以下に、本発明にかかる光通信ネットワークの実施の形態を図面に基づいて詳細に説明する。なお、この実施の形態によりこの発明が限定されるものではない。
【００１３】
実施の形態．
図１は、本発明にかかる光通信ネットワークを構成する伝送装置の構成例を示す図である。図示したように、本実施の形態の伝送装置１０１は、複数のクライアントＩＦ（インタフェース）部１１１，１１２と、電気スイッチ（ＳＷ）１２１と、複数のインタフェース部（ＬＩＮＥ  ＩＦ）１３１，１３２，１３３と、光スイッチ（ＯＸＣ）１４１と、複数の光増幅部（ＡＭＰ）１５１，１５２，１５３と、監視制御部１６１と、を備えている。
【００１４】
図２は、光通信ネットワークの構成例を示す図である。図２に示した光通信ネットワークは、図１に示した構成の複数の伝送装置１０１Ａ，１０１Ｂ，１０１Ｃと、複数のクライアント装置１０２，１０３，１０４，１０５とを含んで構成されている。
【００１５】
各伝送装置１０１（伝送装置１０１Ａ，１０１Ｂ，１０１Ｃ）は、装置間でパケット転送のための電気パスを設定し、クライアント装置１０２，１０３，１０４，１０５の間の回線を提供する。また、伝送装置間で光のままパケットを転送するための波長パスを設定し、電気パスを収容する。伝送装置１０１Ａと１０１Ｂは光ファイバ１７１で、伝送装置１０１Ｂと１０１Ｃは光ファイバ１７２でそれぞれ接続されている。
【００１６】
伝送装置１０１において、クライアントＩＦ部１１１，１１２は、クライアント装置を接続するためのインタフェースであり、クライアント装置から送信されたデータを受信した場合、ネットワーク内で送受信するパケットに変換して電気スイッチ１２１へ出力する。また、電気スイッチ１２１から出力されたパケットを受け取った場合、クライアント装置との間で送受信する形式のデータに変換してクライアント装置へ送信する。なお、クライアントＩＦ部の数は図１に示したものに限定されない。
【００１７】
電気スイッチ１２１は、パケットスイッチであり、パケットが入力されると、予め保持している振り分けテーブル、および受信したパケットのヘッダに含まれるラベル情報を参照し、事前に登録されたインタフェース（インタフェース部，クライアントＩＦ部）に出力する（振り分ける）。また、図示を省略しているが、電気スイッチを２重化し、クライアントＩＦ部１１１，１１２またはインタフェース部１３１，１３２，１３３からのパケットを２重化された電気スイッチの双方に入力させ、現用の電気スイッチのみがパケットを転送（出力）する。
【００１８】
インタフェース部１３１，１３２，１３３は、１つまたは複数のクライアントＩＦ部または別のインタフェース部から電気スイッチ１２１を介してパケットを受け取った場合、受け取ったパケットを多重して、予め設定された特定波長の光信号に変換して、光スイッチ１４１に送信する。また、光スイッチ１４１から光信号を受け取った場合、受け取った光信号からパケットを取り出して電気スイッチ１２１へ出力する。なお、インタフェース部１３１，１３２，１３３のうち、一部のインタフェース部、例えばインタフェース部１３３は、予備用のインタフェース部として、残りの現用のインタフェース部（インタフェース部１３１，１３２等）が故障した際に、代替として使用する。インタフェース部の数は図１に示したものに限定されない。
【００１９】
光スイッチ１４１は、予め設定された情報に基づき、インタフェース部１３１，１３２，１３３から入力された特定波長の光、または装置外（光ファイバ１７１等）からＡＭＰ１５１，１５２，１５３のいずれかを介して受信した光（波長多重化された光）の中から、特定の波長を取り出し、別の方路（光ファイバ）またはインタフェース部１３１，１３２，１３３に転送する。
【００２０】
ＡＭＰ（光増幅部）１５１，１５２，１５３は、受信または送信する光を増幅する。
【００２１】
監視制御部１６１は、電気スイッチ１２１および光スイッチ１４１の制御を行うとともに、伝送装置１０１内の各部の光受信状態、パケット受信有無、故障状態などの状態監視を行う。
【００２２】
図３は、本実施の形態の光通信ネットワークにおいて障害が発生した場合の復旧手順の一例を示すフローチャートである。
【００２３】
本実施の形態の光通信ネットワークを構成している伝送装置１０１において、監視制御部１６１は、予め、現用の電気パス毎に、障害時に切替先となる予備パスを登録しておく（ステップＳ１）。また、予備用のインタフェース部の波長を設定する（ステップＳ２）。ステップＳ１およびＳ２が終了すると、運用中の現用パスを対象とした障害監視動作を開始する（ステップＳ３）。その後、障害を検出した場合には障害原因を判断する（ステップＳ４，Ｓ５）。検出した障害がインタフェース部の障害の場合（ステップＳ６：Ｙｅｓ）、ラベルの変更または電気スイッチ１２１の設定変更（詳細について後述する）を行って予備の電気パスに転送先を切り替える（ステップＳ７）。対向する伝送装置においても、転送先の切り替えを実施する（ステップＳ８）。また、現用の波長パスの経路上の各伝送装置の光スイッチを設定変更することによって、予備の波長パスを設定する（ステップＳ９）。ステップＳ８およびＳ９を実施するために、監視制御部１６１は、インタフェース部の障害を検出すると、電気スイッチの設定変更を要求する制御情報を他の伝送装置へ送信する。なお、現用の波長パス上に既に別の予備の波長パスが設定されていた場合には、空きの経路を選択することで、予備パスの設定を行う。この手段としては、ＩＥＴＦのＲＦＣ３４９５によって定義されるＧＭＰＬＳの技術を用いることが可能である。また、予備用のインタフェース部は、本実施の形態においては伝送装置に対してただ１つのみ記載しているが、２つ以上設けるようにしてもよい。その場合、複数箇所のインタフェース部障害に対応することが可能となる。障害復旧に要する時間を極力短縮するために、ステップＳ７〜Ｓ９の処理を並行して実施するようにしても構わない。
【００２４】
また、上記のステップＳ４で検出した障害がインタフェース部の障害ではない場合（ステップＳ６：Ｎｏ）、伝送路障害か否かを確認し、伝送路障害の場合（ステップＳ１０：Ｙｅｓ）、伝送路切替を実行する。また、予備の波長パスの経路上の各伝送装置において光スイッチの設定を変更する（ステップＳ１３）。一方、伝送路障害ではない場合（ステップＳ１０：Ｎｏ）、電気スイッチ１２１の設定を変更して予備の電気パスに転送先を切り替える（ステップＳ１１）。対向する伝送装置においても、転送先の切り替えを実施する（ステップＳ１２）。
【００２５】
以下、本実施の形態にかかる光通信ネットワークの動作を説明する。
【００２６】
まず、ネットワークの構成とパス設定について説明する。図４は、本実施の形態の伝送装置を含んで構成された光通信ネットワークの構成と、波長パスおよび電気パスの設定例を示す図である。光通信ネットワークは、図１に示した構成の伝送装置１０１Ｄ〜１０１Ｇを備えて構成されており、伝送装置１０１Ｄにはクライアント装置１０６が、伝送装置１０１Ｆにはクライアント装置１０７が、伝送装置１０１Ｇにはクライアント装置１０８が接続されている。また、現用の波長パスとして、伝送装置１０１Ｄと１０１Ｆの間には伝送装置１０１Ｅを介して波長パス２１１が設定され、伝送装置１０１Ｆと１０１Ｇの間には波長パス２１２が設定されている。さらに、クライアント装置１０６と１０８の間のデータ転送のために、電気パス２２１が設定されている。なお、予備の波長パスが伝送装置１０１Ｄと１０１Ｅの間、および伝送装置１０１Ｅと１０１Ｇの間にそれぞれ設定されている。
【００２７】
図４に示した構成の光通信ネットワークにおいて、通常状態（障害が発生していない状態）では、クライアント装置１０６からクライアント装置１０８宛てに送信されたデータは、電気パス２２１上の伝送装置１０１Ｄでパケットに変換されてから転送され、伝送装置１０１Ｇにおいて元のデータ（パケットに変換される前のデータ）に変換されてからクライアント装置１０８に渡される。このとき、電気パス２２１のパケットは伝送装置１０１Ｄ内の電気スイッチ１２１を介して波長パス２１１に転送され、その後、伝送装置１０１Ｆの電気スイッチ１２１を介して波長パス２１２に転送され、伝送装置１０１Ｇ内の電気スイッチ１２１を介してクライアント装置１０８に転送される。
【００２８】
次に、図５−１〜図５−５を用いて、障害が発生する前の通常状態の動作を説明する。
【００２９】
図５−１は、障害が発生する前の光通信ネットワークのパス設定状態と各伝送装置の設定状態を示す図である。
【００３０】
図５−１に示した伝送装置１０１Ａは、クライアント装置１０２および１０３の回線をクライアントＩＦ部１１１および１１２により収容し、電気パス４０１、４０２および４０３を介して、伝送装置１０１Ｃが収容しているクライアント装置にユーザデータを転送する。これらの電気パスは、いずれも電気スイッチ１２１によってインタフェース部１３２に転送される。インタフェース部１３２は、波長パス４１１を終端し、これらの電気パスを多重化して転送する。同様に、伝送装置１０１Ａと１０１Ｂの間には波長パス４１２が設定され、伝送装置１０１Ｂと１０１Ｃの間には波長パス４１３が設定されている。なお、伝送装置１０１Ａと１０１Ｂは光ファイバ１７１により物理的に接続され、伝送装置１０１Ｂと１０１Ｃは光ファイバ１７２により物理的に接続され、伝送装置１０１Ａと１０１Ｃは光ファイバ１７３により物理的に接続されている。図示した例では、各伝送装置１０１において、インタフェース部１３１および１３２を現用、インタフェース部１３３を予備に設定している。
【００３１】
予備として用いるインタフェース部１３３には、障害発生時の切替時の動作に備えて、他の現用のインタフェース部が使用する波長とは異なる専用の波長を予め設定しておく。これにより、切替時の波長設定変更時間の短縮と、切替動作時の現用の波長パスとの波長の衝突を回避することが可能となる。ただし、光スイッチ１４１に関しては、予備のインタフェース部１３３が送受する光の転送は行わない設定としておく。
【００３２】
図５−２は光スイッチ１４１の設定テーブルの一例を示す図、図５−３は電気スイッチ１２１の設定テーブルの一例を示す図、図５−４はクライアントＩＦ部１１１の設定テーブルの一例を示す図、図５−５はクライアントＩＦ部１１２の設定テーブルの一例を示す図である。
【００３３】
また、伝送装置１０１Ａでは、伝送装置内の各部位間で、光入力のモニタを実施するとともに、ＩＴＵ−Ｔ標準のＹ.１７３１にて定義されているＣｏｎｔｉｎｕｉｔｙ  Ｃｈｅｃｋ  Ｍｅｓｓａｇｅｓ（ＣＣＭ）と同様の仕組みを用いて監視用パケットを送受し、これらの監視結果を監視制御部１６１が読み出すことで、故障区間を特定する。監視制御部１６１は、監視結果に基づきインタフェース部の故障か、その他の障害かを判断する。また、どのインタフェース部が故障したかを判断する。
【００３４】
図６は、図５−１に示した伝送装置１０１Ａおよび１０１Ｃにおいて監視制御部１６１が監視を行うポイントを示す図である。監視制御部１６１は、図示したポイント３８１〜３８８にて、ＣＣＭの挿入／受信検出、光入力の検出を行う。なお、伝送装置１０１Ａと１０１Ｃの間に設定されているパスを収容していないインタフェース部１３１については図示を省略している。
【００３５】
障害検出方法の一例を示す。インタフェース部１３１，１３２→光スイッチ１４１の向きに関して、伝送装置１０１Ａにおいては、光スイッチ１４１の入力部３８４に光パワーモニタを設け、監視制御部１６１は、光パワーモニタによるモニタ結果を監視して光入力断を検出することにより、インタフェース部１３２の障害の有無を判断する。また、伝送装置１０１Ｃでは、インタフェース部１３２において、検出ポイント３８５にて光入力がされていることを検出しているにも関わらず、受信検出ポイント３８８にて、伝送装置１０１Ａから送信されたはずのＣＣＭパケットを受信できない場合、伝送装置１０１Ａまたは自装置（伝送装置１０１Ｃ）のインタフェース部１３２で障害が発生したと判断する。受信検出ポイント３８８にてＣＣＭを受信しないこと（インタフェース部１３２での障害が発生したこと）を検出すると、伝送装置１０１Ｃの監視制御部１６１は、検出した事象を伝送装置１０１Ａの監視制御部１６１に通知する。この通知を受けた伝送装置１０１Ａの監視制御部１６１は、自装置のインタフェース部１３２または対向する伝送装置１０１Ｃのインタフェース部１３２で障害が発生したと判断する。
【００３６】
現用のインタフェース部１３２での故障発生を検出した伝送装置１０１Ａの監視制御部１６１は、故障したインタフェース部１３２を経由する電気パス（図５−１に示した電気パス４０１，４０２，４０３に相当）およびインタフェース部１３２が終端する波長パス（図５−１に示した波長パス４１１に相当）の復旧を、予備としていたインタフェース部１３３を使って試みる。
【００３７】
伝送装置１０１Ａの監視制御部１６１は、各クライアントＩＦ部および各インタフェース部に対し、故障したインタフェース部１３２に転送される電気パスのラベルの変更を指示する。この指示を受けたクライアントＩＦ部１１１は、図５−４に示した設定テーブルを参照し、故障したインタフェース部１３２が出力先インタフェースとなっている電気パス４０１および４０２のラベル＃１，＃２を、それぞれラベル＃１０１，＃１０２に変更する。同様に、クライアントＩＦ部１１２は、図５−５に示した設定テーブルを参照し、故障したインタフェース部１３２が出力先インタフェースとなっている電気パス４０３のラベル＃３を、ラベル＃１０３に変更する。このようにラベルを変更することにより、図５−３に示した設定テーブルに基づいて転送を行う電気スイッチ１２１は、電気パス４０１、４０２、４０３のパケットを、インタフェース部１３１、１３３、１３３にそれぞれするようになる。
【００３８】
監視制御部１６１は、上記動作と平行して、予備としていたインタフェース部１３３の波長パスに関する光スイッチ１４１の設定変更も実施する。すなわち、インタフェース部１３３から入力された光を対向する伝送装置１０１Ｃへ送信するとともに、伝送装置１０１Ｃから送信されてきた光をインタフェース部１３３へ転送するように設定を変更する。光スイッチ１４１の設定変更動作を図７−１〜図７−３を使用して説明する。
【００３９】
図７−１は、インタフェース部１３２が故障と判断した後の電気パスおよび波長パスの転送状態を示す図である。図７−２は、図７−１に示した転送状態に対応する光スイッチ１４１の設定状態（設定テーブル）を示す図、図７−３は、図７−１に示した転送状態に対応する電気スイッチ１２１の設定状態を示す図である。
【００４０】
障害となった波長パス４１１の両端の伝送装置１０１Ａおよび１０１Ｃは、光スイッチ１４１の設定をそれぞれ変更し、それまで予備としていたインタフェース部１３３同士の間で波長パス４１４を設定する。伝送装置１０１Ａおよび１０１Ｃにおける波長パス４１４１の設定制御は、双方の伝送装置における監視制御部１６１同士が通信することによって連携した動作を行う。例えば、光スイッチ１４１の設定を図７−２に示したように変更し、インタフェース部１３３から入力された光を波長＃９９で光ファイバ１７３へ送信するように設定する。
【００４１】
なお、波長パスの設定を変更する伝送装置１０１Ａおよび１０１Ｃの電気スイッチ１２１および光スイッチ１４１の制御は、ＧＭＰＬＳのシグナリングを用いることで実現できる。
【００４２】
以上の動作により、図７−１に示すように、電気パス４０１のパケットは、伝送装置１０１Ｂを介して、予め設定された波長パス４１２，４１３上に転送され、電気パス４０２および４０３のパケットは、伝送装置１０１Ａと１０１Ｃのインタフェース部１３３同士の間に新たに設定された波長パス４１４上に転送されるようになり、伝送装置１０１Ａに接続されたクライアント装置と伝送装置１０１Ｃに接続されたクライアント装置の間のデータ転送が復旧する。図７−１では、電気パス４０１のパケットを、未使用帯域（空き帯域）が存在している現用の波長パスへ転送するようにしている。障害が発生していない現用の波長パスに空き帯域が存在している場合、障害が発生した電気パスのパケットを空き帯域が存在する現用の波長パスに転送する設定とすることにより、帯域の効率的な利用が実現できる。空き帯域が十分ではない場合には、電気パス４０１のパケットも波長パス４１４へ転送するように設定する。
【００４３】
なお、本実施の形態では、簡単化のため、伝送装置１０１Ａと１０１Ｃの間に単一の波長パス４１１が設定され、電気パスが収容されている構成の場合について説明したが、伝送装置１Ａと１Ｃの間に複数の波長パスが設定されている場合も同様に動作する。すなわち、伝送装置１０１Ａと１０１Ｃの関係が図４に示した伝送装置１０１Ｄと１０１Ｇの関係のような場合にも同様の手順で電気スイッチ１２１および光スイッチ１４１の設定を変更する。この場合、両端の伝送装置の間で中継を行う伝送装置（図４に示した例では伝送装置１０１Ｅ，１０１Ｆが該当する）においても、必要に応じて光スイッチ１４１の設定を変更し、予備としていた波長パスを使用するように変更する。
【００４４】
また、伝送装置１０１Ａの動作を示したが、ＣＣＭを受信できないことによりインタフェース部１３２の故障を検出した伝送装置１０１Ｃも同様の動作を実行してパスの設定を変更する。また、伝送装置１０１Ａが伝送装置１０１ＣからのＣＣＭを受信できない場合の設定変更手順も上記と同様である。
【００４５】
このように、本実施の形態の光通信ネットワークにおいて、伝送装置は、電気パスの設定・変更を行う電気スイッチと、波長パスの設定・変更を行う光スイッチと、電気スイッチと光スイッチの間で電気信号と光信号を相互に変換するインタフェース部とを備え、インタフェース部は予備を含む複数存在し、自装置の現用のインタフェース部または対向装置の現用のインタフェース部が故障した場合、波長パスおよび電気パスの設定を変更することにより通信を回復させる。すなわち、障害が発生した電気パスの両端の伝送装置双方において、故障したインタフェース部に収容されていた電気パスを予備のインタフェース部に収容するよう電気スイッチの設定を変更するとともに、予備としていたインタフェース部間に波長パスを設定して障害から復旧させることとした。これにより、少ない予備設備での障害復旧が可能で、かつシステム全体の低コスト化を実現可能な光通信ネットワークを実現できる。
【００４６】
例えば、上述した動作例では電気パス４０２，４０３（図５−１参照）に関して、事前に設定済みの波長パス上に、予備パスの帯域を確保することなく、予備のインタフェース部１３３のみを用いて、障害復旧が可能となるため、必要とするインタフェース部の削減が可能となる。また、電気パス４０１のように、予備のインタフェース部１３３を用いた復旧を行わずに、事前に設定済みの波長パス上に、予備パスの帯域を確保した切替も可能となるため（図７−１参照）、復旧までの所要時間や信頼性の要求に応じた切替を提供することが可能となる。
【産業上の利用可能性】
【００４７】
以上のように、本発明にかかる光通信ネットワークは、低コスト化と高信頼性を両立可能な光通信システムとして有用である。
【符号の説明】
【００４８】
１０１，１０１Ａ〜１０１Ｇ  伝送装置
１０２〜１０８  クライアント装置
１１１，１１２  クライアントＩＦ部
１２１  電気スイッチ（ＳＷ）
１３１，１３２，１３３  インタフェース部（ＬＩＮＥ  ＩＦ）
１４１  光スイッチ（ＯＸＣ）
１５１，１５２，１５３  光増幅部（ＡＭＰ）
１６１  監視制御部
２１１，２１２，１７１，１７２，４１１，４１２，４１３，４１４  波長パス
２２１，４０１，４０２，４０３  電気パス
１７１，１７２，１７３  光ファイバ
【図１】
0005999924.tif 000002
【図２】
0005999924.tif 000003
【図３】
0005999924.tif 000004
【図４】
0005999924.tif 000005
【図５−１】
0005999924.tif 000006
【図５−２】
0005999924.tif 000007
【図５−３】
0005999924.tif 000008
【図５−４】
0005999924.tif 000009
【図５−５】
0005999924.tif 000010
【図６】
0005999924.tif 000011
【図７−１】
0005999924.tif 000012
【図７−２】
0005999924.tif 000013
【図７−３】
0005999924.tif 000014